(57)【要約】      （修正有）【課題】レンズと光素子との光軸が高精度に合わせられて優れた光伝送効率が得られる光コネクタを提供すること。【解決手段】レンズ体４０と、レンズ体４０に組み合わされるＦＯＴ６０と、ＦＯＴ６０が組み合わされたレンズ体４０がＦＯＴ６０とともに収容される光モジュール収容部を有するハウジングと、光モジュール収容部に収容されたＦＯＴ６０をレンズ体４０側へ付勢する板バネ部３３ａと、レンズ体４０及びＦＯＴ６０の少なくともいずれか一方に設けられ、板バネ部３３ａでレンズ体４０へ付勢されるＦＯＴ６０をレンズ体４０に対して面方向に均一の隙間をあけて平行に配置させる複数の当接凸部７２，８２ａ，８２ｂと、を備える。【選択図】図８
2020027140.tif 000002
【特許請求の範囲】
【請求項１】
レンズ部を有するレンズ体と、
前記レンズ体に組み合わされることで前記レンズ部の対向位置に配置される光素子を備えるＦＯＴと、
前記ＦＯＴが組み合わされた前記レンズ体が前記ＦＯＴとともに収容される収容部を有するハウジングと、
前記収容部に収容された前記ＦＯＴを前記レンズ体側へ付勢する付勢部と、
前記レンズ体及び前記ＦＯＴの少なくともいずれか一方に設けられ、前記付勢部で前記レンズ体へ付勢される前記ＦＯＴを前記レンズ体に対して面方向に均一の隙間をあけて平行に配置させる複数の当接凸部と、
を備えることを特徴とする光コネクタ。
【請求項２】
前記レンズ体は、発光側レンズ部及び受光側レンズ部を備え、
前記ＦＯＴは、前記発光側レンズ部に対向する発光側ＦＯＴ及び前記受光側レンズ部に対向する受光側ＦＯＴを備え、
前記発光側レンズ部と前記発光側ＦＯＴとの間の発光側伝送部及び前記受光側レンズ部と前記受光側ＦＯＴとの間の受光側伝送部のそれぞれの周囲に、少なくとも三つの前記当接凸部が配置される
ことを特徴とする請求項１に記載の光コネクタ。
【請求項３】
前記付勢部を二つ備え、前記付勢部は、前記発光側ＦＯＴ及び前記受光側ＦＯＴのそれぞれの光軸上に配置される
ことを特徴とする請求項２に記載の光コネクタ。
【発明の詳細な説明】
【技術分野】
【０００１】
本発明は、光コネクタに関する。
【背景技術】
【０００２】
光通信分野で用いられる光コネクタは、発光素子及び受光素子を備えたＦＯＴ（Fiber Optic Transceiver）と、ＦＯＴの発光素子及び受光素子に対向配置されたレンズとを備えている（例えば、特許文献１参照）。この光コネクタでは、ＦＯＴの発光素子からの光信号がレンズを通して相手側光コネクタの光ファイバへ導かれ、相手側光コネクタの光ファイバからの光信号がレンズを通して受光素子へ導かれる。
【先行技術文献】
【特許文献】
【０００３】
【特許文献１】特開２０１３−４４３７号公報
【発明の概要】
【発明が解決しようとする課題】
【０００４】
ところで、発光素子及び受光素子を備える樹脂製のＦＯＴを金型によって成形すると、成形後の冷却条件等によっては、ＦＯＴに曲がりや反りが生じることがある。すると、レンズと組み合わせた際に、レンズの光軸に対してＦＯＴの光素子の光軸にずれが生じるおそれがある。そして、この光軸のずれが生じると、レンズと光素子との間における光損失が大きくなり、性能低下を招いてしまう。
【０００５】
本発明は、上述した事情に鑑みてなされたものであり、その目的は、レンズと光素子との光軸が高精度に合わせられて優れた光伝送効率が得られる光コネクタを提供することにある。
【課題を解決するための手段】
【０００６】
前述した目的を達成するために、本発明に係る光コネクタは、下記（１）〜（３）を特徴としている。
（１）  レンズ部を有するレンズ体と、
前記レンズ体に組み合わされることで前記レンズ部の対向位置に配置される光素子を備えるＦＯＴと、
前記ＦＯＴが組み合わされた前記レンズ体が前記ＦＯＴとともに収容される収容部を有するハウジングと、
前記収容部に収容された前記ＦＯＴを前記レンズ体側へ付勢する付勢部と、
前記レンズ体及び前記ＦＯＴの少なくともいずれか一方に設けられ、前記付勢部で前記レンズ体へ付勢される前記ＦＯＴを前記レンズ体に対して面方向に均一の隙間をあけて平行に配置させる複数の当接凸部と、
を備えることを特徴とする光コネクタ。
（２）  前記レンズ体は、発光側レンズ部及び受光側レンズ部を備え、
前記ＦＯＴは、前記発光側レンズ部に対向する発光側ＦＯＴ及び前記受光側レンズ部に対向する受光側ＦＯＴを備え、
前記発光側レンズ部と前記発光側ＦＯＴとの間の発光側伝送部及び前記受光側レンズ部と前記受光側ＦＯＴとの間の受光側伝送部のそれぞれの周囲に、少なくとも三つの前記当接凸部が配置される
ことを特徴とする（１）に記載の光コネクタ。
（３）  前記付勢部を二つ備え、前記付勢部は、前記発光側ＦＯＴ及び前記受光側ＦＯＴのそれぞれの光軸上に配置される
ことを特徴とする（２）に記載の光コネクタ。
【０００７】
上記（１）の構成の光コネクタによれば、付勢部によってＦＯＴがレンズ体へ付勢されると、複数の当接凸部によってレンズ体に対してＦＯＴが面方向に均一の隙間をあけて平行に配置される。したがって、ＦＯＴに曲げや反りなどの変形があっても、ＦＯＴを矯正してレンズ体に対して平行に配置させることができ、レンズ体のレンズ部の光軸に対してＦＯＴの光素子の光軸を傾きなく高精度に合わせることができる。これにより、レンズ部と光素子との間で生じる光損失を極力抑えることができ、優れた光伝送効率を得ることができる。また、ＦＯＴが押し付けられるレンズ体が収容部においてハウジングへ押し付けられる。したがって、レンズ体に曲げや反りなどの変形があってもＦＯＴとともにレンズ体も矯正されることとなり、レンズ体のレンズ部の光軸の傾きも抑制できる。
上記（２）の構成の光コネクタによれば、発光側レンズ部と発光側ＦＯＴとの間の発光側伝送部及び受光側レンズ部と受光側ＦＯＴとの間の受光側伝送部のそれぞれの周囲に少なくとも三つの当接凸部が配置される。したがって、発光側伝送部となる発光側レンズ部と発光側ＦＯＴ及び受光側伝送部となる受光側レンズ部と受光側ＦＯＴを、それぞれ高精度に平行に配置させることができる。これにより、発光側レンズ部と発光側ＦＯＴの光軸及び受光側レンズ部と受光側ＦＯＴの光軸を高精度に一致させることができる。したがって、発光側伝送部及び受光側伝送部で生じる光損失を極力抑えることができる。
上記（３）の構成の光コネクタによれば、ＦＯＴの発光側ＦＯＴ及び受光側ＦＯＴが、それぞれ付勢部によって光軸上で付勢されることで、発光側レンズ部と発光側ＦＯＴの光軸及び受光側レンズ部と受光側ＦＯＴの光軸をさらにバランスよく高精度に一致させることができる。
【発明の効果】
【０００８】
本発明によれば、レンズと光素子との光軸が高精度に合わせられて優れた光伝送効率が得られる光コネクタを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係る光コネクタ及び相手側光コネクタの斜視図である。
【図２】図２は、相手側光コネクタの斜視図である。
【図３】図３は、本実施形態に係る光コネクタの分解斜視図である。
【図４】図４は、光コネクタを説明する図であって、図４（ａ）は光コネクタの後方側からの斜視図、図４（ｂ）はハウジング及びシールドケースの後方側からの斜視図である。
【図５】図５は、ハウジングの光モジュール収容部を説明する図であって、図５（ａ）はレンズ体が装着されたハウジング及びＦＯＴの後方側からの斜視図、図５（ｂ）はハウジング、レンズ体及びＦＯＴの後方側からの斜視図である。
【図６】図６は、アッセンブリ状態のレンズ体及びＦＯＴの後方側からの斜視図である。
【図７】図７は、レンズ体及びＦＯＴを説明する図であって、図７（ａ）は後方側からの斜視図、図７（ｂ）は前方側からの斜視図である。
【図８】図８は、レンズ体とＦＯＴとの組付け状態を示す光コネクタの水平方向に沿う概略断面図である。
【図９】図９は、レンズ体とＦＯＴとの組付け状態を示す図であって、図９（ａ）は図８におけるＡ−Ａ断面図、図９（ｂ）は図８におけるＢ−Ｂ断面図である。
【図１０】図１０は、ＦＯＴが組付けられたレンズ体の概略正面図である。
【図１１】図１１は、レンズ体に組付けられるＦＯＴに曲げ及び反りが生じた状態を説明する図であって、図１１（ａ）及び図１１（ｂ）は、それぞれ概略平面図である。
【図１２】図１２は、他のレンズ体の斜視図である。
【発明を実施するための形態】
【００１１】
以下、本発明に係る実施の形態の例を、図面を参照して説明する。
図１は、本実施形態に係る光コネクタ及び相手側光コネクタの斜視図である。
図１に示すように、本実施形態に係る光コネクタ１０は、プラグコネクタである相手側光コネクタ１が接合されるレセプタクルタイプの光コネクタである。光コネクタ１０は、回路基板１１に実装されており、この光コネクタ１０に設けられた嵌合凹部１２に相手側光コネクタ１が嵌合される。
【００１２】
図２は、相手側光コネクタの斜視図である。
図２に示すように、相手側光コネクタ１は、光ファイバ２の端部に接続されるハウジング３を有している。ハウジング３は、その先端が嵌合部４とされており、この嵌合部４が光コネクタ１０の嵌合凹部１２に嵌合される。これにより、光コネクタ１０と相手側光コネクタ１の光ファイバ２とが光通信可能とされる。
【００１３】
図３は、本実施形態に係る光コネクタの分解斜視図である。
図３に示すように、光コネクタ１０は、ハウジング２０と、シールドケース３０と、レンズ体４０と、光変換モジュールであるＦＯＴ（Fiber Optic Transceiver）６０と、を備えている。
【００１４】
ハウジング２０は、合成樹脂から成形された箱状の部材であり、このハウジング２０には、前端側に相手側光コネクタ１の嵌合部４が嵌合する嵌合凹部１２が形成されている。このハウジング２０には、その内部に、フェルール（図示略）が設けられており、嵌合凹部１２に嵌合された相手側光コネクタ１の光ファイバ２の端部がフェルールに嵌合される。ハウジング２０は、後端側に光モジュール収容部（収容部）２１を有しており、この光モジュール収容部２１に、レンズ体４０及びＦＯＴ６０が組み付けられる。また、ハウジング２０には、シールドケース３０が上部から嵌め込まれて装着される。ハウジング２０の下部には、複数の突起部（図示略）が形成されている。そして、これらの突起部が回路基板１１に形成された孔部（図示略）に嵌合されることで光コネクタ１０が回路基板１１に実装される際に位置決めされる。
【００１５】
図４は、光コネクタを説明する図であって、図４（ａ）は光コネクタの後方側からの斜視図、図４（ｂ）はハウジング及びシールドケースの後方側からの斜視図である。
図４（ａ）及び図４（ｂ）に示すように、シールドケース３０は、天板部３１と、天板部３１の両側に形成された側板部３２と、天板部３１の後側に形成された後板部３３とを有した箱状に形成されている。シールドケース３０は、導電性金属板をプレス加工等によって箱状に形成して構成されている。シールドケース３０は、ハウジング２０に装着されることで、ハウジング２０の上部、両側部及び後部を覆ってシールドする。側板部３２には、複数の脚部３２ａが形成されており、これらの脚部３２ａは、回路基板１１のスルーホール（図示略）に挿し込まれてハンダ付けされる。これにより、光コネクタ１０は、回路基板１１に固定される。また、後板部３３には、内側へ突出する板バネ部（付勢部）３３ａを有している。これらの板バネ部３３ａは、ハウジング２０の光モジュール収容部２１に収容されたＦＯＴ６０の後面を押圧する。これにより、ハウジング２０の光モジュール収容部２１に収容されたレンズ体４０及びＦＯＴ６０が板バネ部３３ａの付勢力によってハウジング２０に保持された状態に維持される。
【００１６】
図５は、ハウジングの光モジュール収容部を説明する図であって、図５（ａ）はレンズ体が装着されたハウジング及び光変換モジュールの後方側からの斜視図、図５（ｂ）はハウジング、レンズ体及び光変換モジュールの後方側からの斜視図である。
図５（ａ）及び図５（ｂ）に示すように、レンズ体４０及びＦＯＴ６０は、ハウジング２０の後端側の光モジュール収容部２１に組み付けられる。光モジュール収容部２１は、レンズ体４０及びＦＯＴ６０が嵌め込まれる凹状に形成されている。光モジュール収容部２１は、上壁部２３と、底壁部２４と、一対の側壁部２５とを有している。また、光モジュール収容部２１は、凹状部分の底部が当接面２６とされており、この当接面２６には、二つのレンズ挿通穴２７が形成されている。
【００１７】
図６は、アッセンブリ状態のレンズ体及び光変換モジュールの後方側からの斜視図である。
図６に示すように、レンズ体４０及びＦＯＴ６０は、互いに組み合わされて位置決めされる。そして、レンズ体４０及びＦＯＴ６０は、互いに組み合わされた状態でハウジング２０の光モジュール収容部２１に組付けられる。これにより、ハウジング２０に対してＦＯＴ６０が位置決めされる。
【００１８】
図７は、レンズ体及び光変換モジュールを説明する図であって、図７（ａ）は後方側からの斜視図、図７（ｂ）は前方側からの斜視図である。
図７（ａ）及び図７（ｂ）に示すように、レンズ体４０は、平面視矩形状に形成された基板部４３を有しており、この基板部４３には、発光側レンズ部４１及び受光側レンズ部４２が形成されている。これらの発光側レンズ部４１及び受光側レンズ部４２は、横並びに設けられている。レンズ体４０は、導光性を有する透明樹脂によって一体成形されたもので、発光側レンズ部４１と受光側レンズ部４２とが基板部４３の前面から前方へ突出するように一体に設けられている。発光側レンズ部４１のＦＯＴ６０側は、入射面４１ａとされており、受光側レンズ部４２のＦＯＴ６０側は、出射面４２ａとされている。レンズ体４０には、基板部４３の両側に、係合突起４５及び係止爪４６が形成されている。係合突起４５は、係止爪４６の両側に設けられている。
【００１９】
レンズ体４０は、一対の位置決め突起７１を有している。これらの位置決め突起７１は、レンズ体４０の幅方向の中央位置に設けられており、レンズ体４０の高さ方向に配列されている。それぞれの位置決め突起７１は、ＦＯＴ６０側へ突出されている。
【００２０】
レンズ体４０は、当接凸部７２を有している。この当接凸部７２は、レンズ体４０の幅方向及び高さ方向の中央位置に設けられている。この当接凸部７２は、ＦＯＴ６０側へ突出されており、その端面は、平滑面からなる当接面７３とされている。
【００２１】
ＦＯＴ６０は、平面視矩形状に形成されており、その前面には、発光側ＦＯＴ６１及び受光側ＦＯＴ６２が横並びに設けられている。発光側ＦＯＴ６１は、例えば、ＬＥＤ（Light Emitting Diode）、ＶＣＳＥＬ（Vertical Cavity Surface Emitting LASER）などの発光素子を有し、受光側ＦＯＴ６２は、例えば、ＰＤ（Photo Diode)などの受光素子を有する。ＦＯＴ６０は、合成樹脂によって一体成形されたもので、発光側ＦＯＴ６１と受光側ＦＯＴ６２とが一体に設けられている。ＦＯＴ６０の下部には、複数のリードフレーム６５が設けられている。これらのリードフレーム６５は、端部がＦＯＴ６０の後方側へ屈曲された接続部６５ａとされており、この接続部６５ａが回路基板１１のパッド上に配置されてはんだ付けされ、回路基板１１の所定の回路に対して電気的に接続される。ＦＯＴ６０の両側には、凹部６６が形成されており、この凹部６６には、係止片６７が突設されている。
【００２２】
ＦＯＴ６０は、レンズ体４０への装着側に、一対の位置決め穴８１を有している。これらの位置決め穴８１は、ＦＯＴ６０の幅方向の中央位置に設けられており、ＦＯＴ６０の高さ方向に配列されている。それぞれの位置決め穴８１は、レンズ体４０の位置決め突起７１に対応する位置に形成されており、これらの位置決め穴８１には、位置決め突起７１が嵌合される。
【００２３】
ＦＯＴ６０は、複数の当接凸部８２ａ，８２ｂを有している。これらの当接凸部８２ａ，８２ｂは、レンズ体４０側の面の四隅に設けられており、それぞれレンズ体４０側へ突出されている。これらの当接凸部８２ａ，８２ｂは、その端面が、平滑面からなる当接面８３とされている。これらの当接凸部８２ａ，８２ｂは、二つの当接凸部８２ａが、ＦＯＴ６０の発光側ＦＯＴ６１側の端部近傍における上下近傍に形成され、二つの当接凸部８２ｂがＦＯＴ６０の受光側ＦＯＴ６２側の端部近傍における上下近傍に形成されている。
【００２４】
ＦＯＴ６０は、レンズ体４０の入射面４１ａ及び出射面４２ａを有する後面側に組付けられる。このとき、レンズ体４０は、係合突起４５がＦＯＴ６０の凹部６６に係合し、係止爪４６がＦＯＴ６０の係止片６７を係止する。これにより、レンズ体４０にＦＯＴ６０が組付けられ、ＦＯＴ６０における発光側ＦＯＴ６１及び受光側ＦＯＴ６２が、レンズ体４０の発光側レンズ部４１の入射面４１ａ及び受光側レンズ部４２の出射面４２ａに対向した位置にそれぞれ配置される。
【００２５】
また、レンズ体４０にＦＯＴ６０を組付ける際に、ＦＯＴ６０に形成された位置決め穴８１に、レンズ体４０に形成された位置決め突起７１が嵌合される。これにより、レンズ体４０に対してＦＯＴ６０が面方向へ位置決めされる。
【００２６】
そして、このレンズ体４０とＦＯＴ６０のアッセンブリは、ハウジング２０の光モジュール収容部２１にレンズ体４０側から嵌め込まれて所定位置に位置決めされた状態で収容される。これにより、レンズ体４０の発光側レンズ部４１及び受光側レンズ部４２がハウジング２０のレンズ挿通穴２７に挿し込まれるとともに、レンズ体４０の前面が当接面２６に当接される。これにより、レンズ体４０の発光側レンズ部４１及び受光側レンズ部４２がハウジング２０内のフェルールに位置決めされた状態でレンズ挿通穴２７内に収容される。
【００２７】
図８は、レンズ体とＦＯＴとの組付け状態を示す光コネクタの水平方向に沿う概略断面図である。図９は、レンズ体とＦＯＴとの組付け状態を示す図であって、図９（ａ）は図８におけるＡ−Ａ断面図、図９（ｂ）は図８におけるＢ−Ｂ断面図である。図１０は、ＦＯＴが組付けられたレンズ体の概略正面図である。
【００２８】
図８、図９（ａ）及び図９（ｂ）に示すように、シールドケース３０をハウジング２０に装着すると、シールドケース３０の後板部３３に形成された二つの板バネ部３３ａによって、ＦＯＴ６０の発光側ＦＯＴ６１及び受光側ＦＯＴ６２のそれぞれの裏面側がレンズ体４０側へ向かって押圧される。これにより、レンズ体４０及びＦＯＴ６０がハウジング２０の光モジュール収容部２１に保持された状態に維持される。
【００２９】
そして、発光側レンズ部４１の入射面４１ａの対向位置に発光側ＦＯＴ６１が配置されると、発光側レンズ部４１と発光側ＦＯＴ６１との間は、発光側ＦＯＴ６１で発光した光が発光側レンズ部４１へ入光される発光側伝送部Ｄ１となる。同様に、受光側レンズ部４２の出射面４２ａの対向位置に受光側ＦＯＴ６２が配置されると、受光側レンズ部４２と受光側ＦＯＴ６２との間は、受光側レンズ部４２からの光が受光側ＦＯＴ６２で受光される受光側伝送部Ｄ２となる。
【００３０】
また、ＦＯＴ６０が板バネ部３３ａでレンズ体４０側へ付勢されると、レンズ体４０に形成された当接凸部７２の当接面７３がＦＯＴ６０の幅方向及び高さ方向の中央位置に当接するとともに、ＦＯＴ６０に形成された当接凸部８２ａ，８２ｂの当接面８３がレンズ体４０の四隅に当接する。これにより、レンズ体４０とＦＯＴ６０とは、互いに面方向へ均一な隙間をあけた状態で組付けられて平行に配置される。
【００３１】
このように組み立てられた光コネクタ１０では、図１０に示すように、発光側伝送部Ｄ１には、その周囲に、レンズ体４０の一つの当接凸部７２及びＦＯＴ６０における発光側ＦＯＴ６１側の端部近傍の二つの当接凸部８２ａからなる三つの当接凸部７２，８２ａが配置された状態となる。したがって、発光側伝送部Ｄ１では、周囲の三つの当接凸部７２，８２ａによって発光側レンズ部４１と発光側ＦＯＴ６１とがバランスよく高精度に平行に配置される。したがって、レンズ体４０の発光側レンズ部４１の光軸ＸＬ１に対して、ＦＯＴ６０の発光側ＦＯＴ６１の光軸ＸＦ１が一致される。
【００３２】
同様に、受光側伝送部Ｄ２には、その周囲に、レンズ体４０の一つの当接凸部７２及びＦＯＴ６０における受光側ＦＯＴ６２側の端部近傍の二つの当接凸部８２ｂからなる三つの当接凸部７２，８２ｂが配置された状態となる。したがって、受光側伝送部Ｄ２では、周囲の三つの当接凸部７２，８２ｂによって受光側レンズ部４２と受光側ＦＯＴ６２とがバランスよく高精度に平行に配置される。したがって、レンズ体４０の受光側レンズ部４２の光軸ＸＬ２に対して、ＦＯＴ６０の受光側ＦＯＴ６２の光軸ＸＦ２が一致される。
【００３３】
この光コネクタ１０では、ＦＯＴ６０の発光側ＦＯＴ６１で電気信号から変換されて発生した光信号は、レンズ体４０の発光側レンズ部４１へ入射面４１ａから入射し、嵌合凹部１２に接合された相手側光コネクタ１の一方の光ファイバ２へ導かれる。また、相手側光コネクタ１の他方の光ファイバ２から受光側レンズ部４２へ入射した光信号は、レンズ体４０の受光側レンズ部４２の出射面４２ａから出射してＦＯＴ６０の受光側ＦＯＴ６２で受光されて電気信号に変換される。
【００３４】
ところで、合成樹脂からなるＦＯＴ６０は、例えば、金型のキャビティへ溶融樹脂を射出することで成形される。この射出成形によって成形されるＦＯＴ６０は、成形後の冷却条件等によって曲げや反りなどの変形が生じるおそれがある。
【００３５】
例えば、図１１（ａ）に示すように、曲げが生じたＦＯＴ６０をレンズ体４０に組み合わせると、幅方向の両端に比べて幅方向の中央に大きな隙間が生じる。すると、ＦＯＴ６０の発光側ＦＯＴ６１の光軸ＸＦ１及び受光側ＦＯＴ６２の光軸ＸＦ２がレンズ体４０へ向かって内側へ傾いてしまう。
【００３６】
また、図１１（ｂ）に示すように、反りが生じたＦＯＴ６０をレンズ体４０に組み合わせると、幅方向の中央に比べて幅方向の両端に大きな隙間が生じる。すると、ＦＯＴ６０の発光側ＦＯＴ６１の光軸ＸＦ１及び受光側ＦＯＴ６２の光軸ＸＦ２がレンズ体４０へ向かって外側へ傾いてしまう。
【００３７】
このように、ＦＯＴ６０に曲がりや反りなどの変形があると、レンズ体４０と組み合わせた際に、発光側レンズ部４１の光軸ＸＬ１と発光側ＦＯＴ６１の光軸ＸＦ１及び受光側レンズ部４２の光軸ＸＬ２と受光側ＦＯＴ６２の光軸ＸＦ２にずれが生じる。すると、発光側レンズ部４１と発光側ＦＯＴ６１との間の発光側伝送部Ｄ１及び受光側レンズ部４２と受光側ＦＯＴ６２との間の受光側伝送部Ｄ２における光損失が大きくなり、性能低下を招いてしまう。
【００３８】
しかし、本実施形態に係る光コネクタによれば、シールドケース３０の板バネ部３３ａによってＦＯＴ６０がレンズ体４０へ付勢されると、複数の当接凸部７２，８２ａ，８２ｂによってレンズ体４０に対してＦＯＴ６０が面方向に均一の隙間をあけて平行に配置される。したがって、ＦＯＴ６０に曲げや反りなどの変形があっても、ＦＯＴ６０を矯正してレンズ体４０に対して平行に配置させることができ、レンズ体４０の発光側レンズ部４１の光軸ＸＬ１及び受光側レンズ部４２の光軸ＸＬ２に対してＦＯＴ６０の発光側ＦＯＴ６１の光軸ＸＦ１及び受光側ＦＯＴ６２の光軸ＸＦ２を傾きなく高精度に合わせることができる。これにより、発光側レンズ部４１と発光側ＦＯＴ６１との間の発光側伝送部Ｄ１及び受光側レンズ部４２と受光側ＦＯＴ６２との間の受光側伝送部Ｄ２で生じる光損失を極力抑えることができ、優れた光伝送効率を得ることができる。
【００３９】
また、ＦＯＴ６０が押し付けられるレンズ体４０が光モジュール収容部２１の当接面２６へ押し付けられる。したがって、レンズ体４０に曲げや反りなどの変形があってもＦＯＴ６０とともにレンズ体４０も矯正されることとなり、レンズ体４０の発光側レンズ部４１の光軸ＸＬ１及び受光側レンズ部４２の光軸ＸＬ２の傾きも抑制できる。
【００４０】
特に、発光側レンズ部４１と発光側ＦＯＴ６１との間の発光側伝送部Ｄ１の周囲に三つの当接凸部７２，８２ａが配置され、また、受光側レンズ部４２と受光側ＦＯＴ６２との間の受光側伝送部Ｄ２の周囲に三つの当接凸部７２，８２ｂが配置される。したがって、発光側伝送部Ｄ１となる発光側レンズ部４１と発光側ＦＯＴ６１及び受光側伝送部Ｄ２となる受光側レンズ部４２と受光側ＦＯＴ６２を、それぞれ高精度に平行に配置させることができる。これにより、発光側レンズ部４１と発光側ＦＯＴ６１の光軸ＸＬ１，ＸＦ１及び受光側レンズ部４２と受光側ＦＯＴ６２の光軸ＸＬ２，ＸＦ２を高精度に一致させ、発光側伝送部Ｄ１及び受光側伝送部Ｄ２で生じる光損失を極力抑えることができる。
【００４１】
また、ＦＯＴ６０の発光側ＦＯＴ６１及び受光側ＦＯＴ６２が、それぞれ板バネ部３３ａによって光軸ＸＦ１、ＸＦ２上で付勢されることで、発光側レンズ部４１と発光側ＦＯＴ６１の光軸ＸＬ１，ＸＦ１及び受光側レンズ部４２と受光側ＦＯＴ６２の光軸ＸＬ２，ＸＦ２をさらにバランスよく高精度に一致させることができる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
上記実施形態では、レンズ体４０の中央に一つの当接凸部７２を形成したが、例えば、図１２に示すように、高さ方向に配列される二つの当接凸部７２をレンズ体４０の中央に設けてもよい。このようにすれば、発光側伝送部Ｄ１の周囲における支持点及び受光側伝送部Ｄ２の周囲における支持点をそれぞれ４点にすることができ、よりバランスよく安定的に発光側レンズ部４１の光軸ＸＬ１と発光側ＦＯＴ６１の光軸ＸＦ１及び受光側レンズ部４２の光軸ＸＬ２と受光側ＦＯＴ６２の光軸ＸＦ２を一致させることができ、発光側伝送部Ｄ１及び受光側伝送部Ｄ２で生じる光損失をさらに抑えることができる。
【００４４】
また、上記実施形態では、レンズ体４０に一つの当接凸部７２を設け、ＦＯＴ６０に四つの当接凸部８２ａ，８２ｂを設けたが、レンズ体４０及びＦＯＴ６０のいずれか一方に全ての当接凸部を設けてもよい。
【００４５】
ここで、上述した本発明に係る光コネクタの実施形態の特徴をそれぞれ以下［１］〜［３］に簡潔に纏めて列記する。
［１］  レンズ部（発光側レンズ部４１，受光側レンズ部４２）を有するレンズ体（４０）と、
前記レンズ体（４０）に組み合わされることで前記レンズ部（発光側レンズ部４１，受光側レンズ部４２）の対向位置に配置される光素子（発光側ＦＯＴ６１，受光側ＦＯＴ６２）を備えるＦＯＴ（６０）と、
前記ＦＯＴ（６０）が組み合わされた前記レンズ体（４０）が前記ＦＯＴ（６０）とともに収容される収容部（光モジュール収容部２１）を有するハウジング（２０）と、
前記収容部（光モジュール収容部２１）に収容された前記ＦＯＴ（６０）を前記レンズ体（４０）側へ付勢する付勢部（板バネ部３３ａ）と、
前記レンズ体（４０）及び前記ＦＯＴ（６０）の少なくともいずれか一方に設けられ、前記付勢部（板バネ部３３ａ）で前記レンズ体（４０）へ付勢される前記ＦＯＴ（６０）を前記レンズ体（４０）に対して面方向に均一の隙間をあけて平行に配置させる複数の当接凸部（７２，８２ａ，８２ｂ）と、
を備えることを特徴とする光コネクタ。
［２］  前記レンズ体（４０）は、発光側レンズ部（４１）及び受光側レンズ部（４２）を備え、
前記ＦＯＴ（６０）は、前記発光側レンズ部（４１）に対向する発光側ＦＯＴ（６１）及び前記受光側レンズ部（４２）に対向する受光側ＦＯＴ（６２）を備え、
前記発光側レンズ部（４１）と前記発光側ＦＯＴ（６１）との間の発光側伝送部（Ｄ１）及び前記受光側レンズ部（４２）と前記受光側ＦＯＴ（６２）との間の受光側伝送部（Ｄ２）のそれぞれの周囲に、少なくとも三つの前記当接凸部（７２，８２ａ，８２ｂ）が配置される
ことを特徴とする［１］に記載の光コネクタ。
［３］  前記付勢部（板バネ部３３ａ）を二つ備え、前記付勢部（板バネ部３３ａ）は、前記発光側ＦＯＴ（６１）及び前記受光側ＦＯＴ（６２）のそれぞれの光軸（ＸＦ１，ＸＦ２）上に配置される
ことを特徴とする［２］に記載の光コネクタ。
【符号の説明】
【００４６】
１０：光コネクタ
２０：ハウジング
２１：光モジュール収容部（収容部）
３０：シールドケース
３３ａ：板バネ部（付勢部）
４０：レンズ体
４１：発光側レンズ部（レンズ部）
４２：受光側レンズ部（レンズ部）
６０：ＦＯＴ
６１：発光側ＦＯＴ（光素子）
６２：受光側ＦＯＴ（光素子）
７２，８２ａ，８２ｂ：当接凸部
Ｄ１：発光側伝送部
Ｄ２：受光側伝送部
ＸＬ１，ＸＬ２，ＸＦ１，ＸＦ２：光軸
【図１】
2020027140.tif 000003
【図２】
2020027140.tif 000004
【図３】
2020027140.tif 000005
【図４】
2020027140.tif 000006
【図５】
2020027140.tif 000007
【図６】
2020027140.tif 000008
【図７】
2020027140.tif 000009
【図８】
2020027140.tif 000010
【図９】
2020027140.tif 000011
【図１０】
2020027140.tif 000012
【図１１】
2020027140.tif 000013
【図１２】
2020027140.tif 000014